(57)【要約】【課題】専用のキーによることなく、直感的に理解しやすい操作により通信中の着信拒否の登録を可能にする。【解決手段】ユーザによる着信を退けたいという気持ちが表現された拒否動作に対応するキー操作として、特定のキーを長く押し続ける長押しを対応させる。そして、通信中において、この特定キーの長押しがされた場合に、通信を切断すると共に、通信相手の電話番号を拒否番号として着信拒否の登録をする。  特定のキーの長押しに着信拒否機能を割り当てることで、ユーザは直感的に拒否動作の機能を理解することができ、通信中における着信拒否の登録を容易に行うことができる。【選択図】図４
2015103838.tif 000002
【特許請求の範囲】
【請求項１】
拒否番号として登録された電話番号からの着信を拒否する着信拒否機能を備えた携帯端末装置であって、
前記着信拒否の対象となる電話番号を拒否番号として記憶する拒否番号記憶手段と、
所定のキーについて、予め設定された所定時間以上の間継続して押される長押しがされたか否かを判断する長押し判断手段と、
通信中において、前記長押しがされたと判断された場合に、前記通信中の相手先電話番号を前記拒否番号として前記拒否番号記憶手段に登録する登録手段と、
を具備したことを特徴とする携帯端末装置。
【請求項２】
前記長押し判断手段で長押しがされたか否かを判断する所定のキーはオンフックキーである、
ことを特徴とする請求項１に記載の携帯端末装置。
【請求項３】
前記オンフックキーの押下により、前記通信を終了させる通信終了手段、
を備えたことを特徴とする請求項２に記載の携帯端末装置。
【請求項４】
前記通信終了手段は前記オンフックキーの押下直後に通信を終了させ、
前記登録手段は、前記オンフックキーが長押しされたと判断された後に相手先電話番号の登録をする、
ことを特徴とする請求項１、請求項２、又は請求項３に記載の携帯端末装置。
【請求項５】
前記長押し判断手段で長押しがされたか否かを判断する所定のキーは、全てのキーのうちの任意の１つのキーである、
ことを特徴とする請求項１に記載の携帯端末装置。
【請求項６】
前記登録手段は、着信中及び通話中である場合に通信中であると判断する、
ことを特徴とする請求項１から請求項５のうちのいずれか１の請求項に記載の携帯端末装置。
【請求項７】
着信拒否の対象となる電話番号を拒否番号として記憶する拒否番号記憶手段を備えた携帯端末装置の携帯端末プログラムであって、
前記拒否番号として登録された電話番号からの着信を拒否する着信拒否機能と、
所定のキーについて、予め設定された所定時間以上の間継続して押される長押しがされたか否かを判断する長押し判断機能と、
通信中において、前記長押しがされたと判断された場合に、前記通信中の相手先電話番号を前記拒否番号として前記拒否番号記憶手段に登録する登録機能と、
をコンピュータに実現させるための携帯端末プログラム。
【発明の詳細な説明】
【技術分野】
【０００１】
本発明は、例えば、着信拒否機能を備えた携帯端末装置、及び携帯端末プログラムに関する。
【背景技術】
【０００２】
無線通信による通話機能を備えた携帯電話やいわゆるＰＨＳ、スマートフォン等の各種携帯端末装置が普及している。
この携帯端末装置では、迷惑な電話などに煩わされることが無いようにするために、従来からユーザが特定の電話番号からの着信を不可とする、いわゆる着信拒否の設定方法が種々提案されている。
例えば、特許文献１記載技術では、通話キー（オフフックキー）や切断キー（オンフックキー）とは別に「着信拒否」キーを設け、通話中に着信拒否ボタンが選択された場合に、着信拒否対象に追加するようにしている。
【先行技術文献】
【特許文献】
【０００３】
【特許文献１】特開２０１２−１４７１２３号公報
【発明の概要】
【発明が解決しようとする課題】
【０００４】
しかし、特許文献１記載技術の場合、着信拒否の登録は、使用頻度が低い操作であるにもかかわらず、専用の「着信拒否」キーを設けているため、普段は使用しない無駄なキーが表示されるという問題がある。
一方、着信拒否のキーを専用キーとしないためには、例えば、汎用キーに「着信拒否」を割り当てることが考えられるが、汎用キーを着信拒否の登録を選択するキーとして使用するためには、機能キーの選択などの他の操作をする必要がある。
しかし、通信中における着信拒否の登録を選択する操作は、使用頻度が低い反面、咄嗟に行う必要性があることから、操作数が多い汎用キーはどのキーをどのように操作すればよいか思い出すことが困難であり好ましくない。
【０００５】
そこで、本願発明は、専用のキーによることなく、直感的に理解しやすい操作により通信中の着信拒否の登録を可能にすることを目的とする。
【課題を解決するための手段】
【０００６】
（１）請求項１に記載の発明では、拒否番号として登録された電話番号からの着信を拒否する着信拒否機能を備えた携帯端末装置であって、前記着信拒否の対象となる電話番号を拒否番号として記憶する拒否番号記憶手段と、所定のキーについて、予め設定された所定時間以上の間継続して押される長押しがされたか否かを判断する長押し判断手段と、通信中において、前記長押しがされたと判断された場合に、前記通信中の相手先電話番号を前記拒否番号として前記拒否番号記憶手段に登録する登録手段と、を具備したことを特徴とする携帯端末装置を提供する。
（２）請求項２に記載の発明では、前記長押し判断手段で長押しがされたか否かを判断する所定のキーはオンフックキーである、ことを特徴とする請求項１に記載の携帯端末装置を提供する。
（３）請求項３に記載の発明では、前記オンフックキーの押下により、前記通信を終了させる通信終了手段、を備えたことを特徴とする請求項２に記載の携帯端末装置を提供する。
（４）請求項４に記載の発明では、前記通信終了手段は前記オンフックキーの押下直後に通信を終了させ、前記登録手段は、前記オンフックキーが長押しされたと判断された後に相手先電話番号の登録をする、ことを特徴とする請求項１、請求項２、又は請求項３に記載の携帯端末装置を提供する。
（５）請求項５に記載の発明では、前記長押し判断手段で長押しがされたか否かを判断する所定のキーは、全てのキーのうちの任意の１つのキーである、ことを特徴とする請求項１に記載の携帯端末装置を提供する。
（６）請求項６に記載の発明では、前記登録手段は、着信中及び通話中である場合に通信中であると判断する、ことを特徴とする請求項１から請求項５のうちのいずれか１の請求項に記載の携帯端末装置を提供する。
（７）請求項７に記載の発明では、着信拒否の対象となる電話番号を拒否番号として記憶する拒否番号記憶手段を備えた携帯端末装置の携帯端末プログラムであって、前記拒否番号として登録された電話番号からの着信を拒否する着信拒否機能と、所定のキーについて、予め設定された所定時間以上の間継続して押される長押しがされたか否かを判断する長押し判断機能と、通信中において、前記長押しがされたと判断された場合に、前記通信中の相手先電話番号を前記拒否番号として前記拒否番号記憶手段に登録する登録機能と、をコンピュータに実現させるための携帯端末プログラムを提供する。
【発明の効果】
【０００７】
本願発明によれば、通信中において、所定のキーについて長押しがされたと判断された場合に、通信中の相手先電話番号を前記拒否番号として前記拒否番号記憶手段に登録するので、専用のキーによることなく、直感的に理解しやすい操作により通信中の着信拒否の登録を行うことができる。
【図面の簡単な説明】
【０００８】
【図１】本実施形態による携帯端末装置の外観構成図である。
【図２】携帯端末装置の各機能を表した機能構成図である。
【図３】携帯端末装置のハード構成図である。
【図４】携帯端末装置によるオンフックキー処理の動作を表したフローチャートである。
【図５】拒否番号登録をするか否かをユーザに確認する登録確認画面の説明図である。
【図６】第２実施形態におけるオンフックキーの操作状態に対応する通信拒否処理と拒否番号登録処理の流れについての説明図である。
【図７】第２実施形態によるオンフックキー処理の動作を表したフローチャートである。
【発明を実施するための形態】
【０００９】
以下、本発明の携帯端末装置及び携帯端末プログラムおける好適な実施の形態について、図１から図７を参照して詳細に説明する。
（１）実施形態の概要
本実施形態では、携帯端末装置１００で発呼した場合及び携帯端末装置１００で着呼した場合の双方を含め、通信中における通信相手の電話番号を拒否番号として、着信拒否の対象として登録するものである。着信拒否とは、拒否番号として登録された電話番号からの呼び出し（着呼）があった場合に、着信処理を行わないことをいう。
【００１０】
着信に対する拒否を望む場合のユーザは、当該通信や通信相手に対する強い拒否感や、嫌悪感があると想定される。そこで、着信を退けたい（排除したい）という気持ちが表現された拒否動作に対応するキー操作として、特定のキーを長く押し続ける（長押しする）操作を対応させる。
そして、通信中（着信中、通話中）において、この特定キーの長押しがされた場合に、通信を切断すると共に、通信相手の電話番号を拒否番号として着信拒否の登録をする。
特定のキーの長押しに着信拒否機能を割り当てることで、ユーザは直感的に拒否動作の機能を理解することができ、通信中における着信拒否の登録を容易に行うことができる。
本実施形態の対象としては、通常の携帯電話装置、いわゆるＰＨＳ（Ｐｅｒｓｏｎａｌ  Ｈａｎｄｙ−ｐｈｏｎｅ  Ｓｙｓｔｅｍ）、スマートフォン等の、電話番号等の通信先識別番号に基づいて音声による通話が可能な各種携帯端末装置が対象である。
【００１１】
携帯端末装置では、通話中や着信中に切断をするためのキー（終話キー）としてオンフックキーが存在し、このオンフックキーの単押しで通話の切断ならびに着信の切断を行える。さらにオンフックキーは、電源オン状態において、長押し動作によって携帯端末装置の電源をオフする、電源の操作キー（入力キー）としても認知されている。
そこで、本実施形態では、通信の切断に関する操作キーであるオンフックキーを特定のキーに割り当て、通信中におけるオンフックキーの長押し操作により着信拒否の登録を行う。
なお、通信中の表示画面には、オンフックキーの長押し操作により着信拒否の登録ができる旨を表すガイド表示を行うことで、ユーザの認識を更に容易にする。
【００１２】
なお、拒否意思の表示操作に対応する直感的な操作として長押し操作を対応させているため、オンフック以外の他のキーを特定のキーに対応させることも可能であるが、特定のキーがどれなのかを忘れる可能性がある。
そこで、オンフックキーを含め、入力操作に使用される全てのキーを特定のキーに対応させ、通信中における任意の１のキーの長押しによって着信拒否の登録を行う。
これにより、いずれのキーが特定のキーに該当するのかについて迷うことがなくなる。
【００１３】
本実施形態により、特定のキーをオンフックキーとし、また、全キーを特定キーとすることで、特別な専用キーの確保が不要であり、また特定のキーを探す必要がなくなる。
【００１４】
また本実施形態では、オンフックキーを特定のキーとした場合、オンフックキーが押下された直後に通信の切断を行い、そのまま押下が所定時間以上継続されて長押しと判断された場合に着信拒否の登録を行う。
このように、オンフックキーの長押しがされたと判断された後に、通信の切断と着信拒否登録を行うのではなく、オンフックキーが押下されたと判断した直後に通信を切断することで、通信切断処理と着信拒否登録処理の重複時間を少なくすることができる。
【００１５】
（２）実施形態の詳細
図１は、本実施形態による携帯端末装置の一例である携帯電話の外観構成を表したものである。
携帯端末装置１００は、ディスプレイ１２０、マイク１３１、スピーカ１３２、入力キー１４０を備えている。
ディスプレイ１２０は、液晶ディスプレイなどの表示デバイスを用いて構成されている。ディスプレイ１２０には、例えば、電話帳画面やその他の画面が表示される。
マイク１３１は、通話の際などにユーザの音声を電気信号に変換する。
スピーカ１３２は、例えば、通話相手の音声や、録音されたメッセージの再生などを行う。
【００１６】
入力キー１４０は、文字や数字などを入力するためのテンキー（文字キー）１４１、ディスプレイ１２０に表示されている電話番号リストの選択対象（フォーカス）を変更するためのカーソルなどを移動させたり、その他の特殊機能を発揮させたりなどするための機能キー１４２などから構成されている。
機能キー１４２のうち、上下左右キー１４３は選択対象やカーソルなどを画面上で上下、左右方向に移動するためのキーである。決定キー１４４は、ユーザが何らかの選択を決定した場合などに押下するキーであり、例えば、電話帳画面においてフォーカスされた電話番号を接続先として決定する際に押下する。
オフフックキー１４５は、選択した電話番号へ発呼による回線接続や、着呼に対する回線接続を行うための操作キーである。
オンフックキー１４６は、通信の切断や、携帯端末装置の電源をオフするための操作キーである。オンフックキー１４６は、本実施形態において、長押しがされたか否かの判断対象となる特定のキーであり、通信中においてオンフックキー１４６の長押しが検出された場合に、通信の切断と着信拒否の登録が行われる。
【００１７】
図２は、携帯端末装置１００の各機能を表した機能構成図である。
図２に示されるように携帯端末装置１００は、無線通信部（ＲＦ）１１０、表示部１２０、通話部１３０、キー操作部１４０、加入者情報記憶部１６０、制御部２００を備えている。
無線通信部１１０は、通信回線網と接続して通話やデータ通信を行う通信手段として機能し、ＰＨＳ通信や３Ｇ通信等の携帯端末装置１００が採用する通信方式に応じた変調、復調などを行うことで、他の携帯端末装置との通信を行う。
表示部１２０は、各種情報を表示する表示手段として機能し、例えば、液晶ディスプレイなどで構成されている。この表示部１２０は、例えば、電話機能を使用して電話をかける際にユーザがテンキー１４１から入力した発呼先電話番号を表示したり、着呼があった場合の電話番号や電話番号帳に登録してある場合には氏名を表示したりする。また、メール機能を使用する場合にはメールアドレスやメール本文の内容を表示し、カメラ機能を使用する場合には撮影前後の画像を表示する。
【００１８】
通話部１３０は、音声の入出力によって通話を行う通話手段として機能し、後述するように音声を入力するマイク１３１と、音声を出力するスピーカ１３２を備えている。
キー操作部１４０は、各種入力操作を行う入力手段として機能し、図１で説明したテンキー１４１やオンフックキー１４６を含む機能キー１４２を備えている。なお、本実施形態では、図１に示したように、キー操作部１４０は、各種操作ボタンがハードキーにより構成されている場合について説明したが、例えば、スマートフォンなどのように大型の表示部１２０を備える場合には、その表示画面上に配置したタッチパネルで操作キー（入力キー）の全て又は一部をソフトキーとして構成するようにしてもよい。この場合、表示部１２０には、タッチパネルによる受け付け対象となる操作キー（テンキー１４１や機能キー１４２の全部又は一部）を表示し、タッチパネルに接触させた指などの位置座標と、操作キーの表示位置から、操作キーのタッチ（押下）が検出されるようにする。本実施形態における長押しの判断対象となるオンフックキー１４６も表示部１２０とタッチパネルとによるソフトキーで構成するようにしてもよい。
【００１９】
加入者情報記憶部１６０は、ユーザ（加入者）に関する情報（携帯端末装置１００の電話番号等）の他、電話帳機能によってユーザ操作で登録された発呼先の電話番号やメールアドレスや住所等の電話帳が記憶される。
また、加入者情報記憶部１６０は、着信拒否番号記憶部１６１を備えている。この着信拒否番号記憶部１６１には、ユーザ操作により、また、本実施形態における着信拒否登録によって拒否番号として登録された、着信拒否の電話番号が登録される。
【００２０】
制御部２００は、無線通信制御部２１０、通信／端末状態判定部２２０、キー入力判定部２３０、キー処理決定部２４０、着信拒否処理部２５０、着信拒否番号処理部２６０を備えており、携帯端末装置１００による各種通信の制御を行うと共に、他の各部を制御する。
無線通信制御部２１０は、無線通信部１１０における発呼と着呼を制御する。無線通信制御部２１０は、着信があった場合に発呼者の電話番号が着信拒否番号記憶部１６１に拒否番号として登録されているか否かを判断し、登録済みであれば当該着信に対する着信処理を行わない。すなわち、無線通信制御部２１０は、着信音の消音と、オフフックの抑止を行う。
一方、無線通信制御部２１０は、発呼者の電話番号が拒否番号として登録されていない場合には、着信処理を行うと共に、発呼者の電話番号を一時保存する。
更に、無線通信制御部２１０は、通信中においてオンフックキー１４６が押下（短押し、長押し）された場合に、着信音の消音、着信の切断、及び通話の切断を行う。
【００２１】
通信／端末状態判定部２２０は、無線通信制御部２１０における通信の状態、すなわち、非通信中、発信中、着信中、通話中といった通信状態を判定し、キー処理決定部２４０に伝える。
キー入力判定部２３０は、各種操作入力キー１４０の操作状態を判定し、判定結果をキー処理決定部２４０に伝える。特に本実施形態において、キー入力判定部２３０は、特定のキーであるオンフックキー１４６の押下状態（押下、短押し、長押し等）の判定を行う。
【００２２】
キー処理決定部２４０は、キー入力判定部２３０で判定されたキー操作に対応する各種処理を行う。
本実施形態においてキー処理決定部２４０は、キー入力判定部２３０でオンフックキー１４６の長押しが判定され、通信／端末状態判定部２２０で通信中と判定された場合に、着信拒否登録処理を着信拒否処理部２５０に指示する。
また、キー処理決定部２４０は、オンフックキー１４６の短押しが判定された場合には、通信状態に応じた通信の切断処理を着信拒否処理部２５０に指示する。
【００２３】
着信拒否処理部２５０は、着信拒否登録処理の指示により、無線通信制御部２１０に対して着信中であれば着信音の消音及び着信の切断を、通話中であれば通話の切断を指示すると共に、着信拒否番号処理部２６０に対して着信拒否の登録を指示する。
また、着信拒否処理部２５０は、オンフックキー１４６の短押しによるキー処理決定部２４０からの指示に従い、着信中であれば消音又は通信の切断を、通話中であれば通話の切断を無線通信制御部２１０に指示する。なお、オンフックキー１４６の長押しの場合と異なり、着信中の短押しは、１度目の短押しで消音を２度目の短押しで通信の切断が行われる。
【００２４】
着信拒否番号処理部２６０は、着信拒否の登録が指示されると、無線通信制御部２１０によって一時保存されている通信相手の電話番号を拒否番号として、着信拒否番号記憶部１６１に記憶する。この拒否番号登録の際には、拒否番号と共に付加情報として拒否登録がされた日時や、通信中におけるオンフックキー１４６の長押しによる登録か、ユーザ操作による着信番号登録か、その他の付加情報も記憶するようにしてもよい。
ユーザ操作による着信拒否番号の登録は、待ち受け状態（通信状態以外の状態）において、機能キー１４２によって拒否登録操作が選択された場合に行われ、この場合の電話番号は、ユーザがテンキー１４１から入力する場合と、過去の着信履歴又は発信履歴から読み出した電話番号が拒否番号として登録される。
【００２５】
図３は、携帯端末装置１００のハード構成を表したものである。
携帯端末装置１００は、無線通信部（ＲＦ）１１０、入力キー（キー操作部）１４０、ディスプレイ（表示部）１２０、通話部１３０を構成するマイク１３１、スピーカ１３２、制御部２００を構成するＣＰＵ２０１、ＲＡＭ２０２、ＲＯＭ２０３、及び加入者情報記憶部１６０を備えている。
【００２６】
ＣＰＵ２０１は、ＲＡＭ２０２を作業領域として、ＲＯＭ２０３に格納されている携帯端末装置１００による各種機能を実現するための各種プログラムに基づいて、第１通信回線（ＰＨＳ回線）を使用した（第１通信回線を第１次の接続先とした）通信を行う。
本実施形態ではＣＰＵ２０１が、ＲＯＭ２０３に格納されている通信プログラム及びオンフックキー処理プログラムに基づいて、通信中の着信拒否の登録や、電源ＯＦＦ等の各種処理を行う。
なお、ＲＯＭ２０３については、加入者情報記憶部１６０と同様に、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性の書き換え可能な記憶手段を使用するようにしてもよい。
【００２７】
以上の通り構成された、携帯端末装置１００による着信拒否の登録を含むオンフックキー処理について説明する。
図４は、携帯端末装置１００によるオンフックキー処理の動作を表したフローチャートである。
制御部２００は、キー操作部１４０のオンフックキー１４６が押下されたか否かを監視している（ステップ１０）。
制御部２００は、オンフックキー１４６が押下されると（ステップ１０；Ｙ）、通信状態を判断する（ステップ１１）。すなわち、制御部２００は、携帯端末装置１００の現在の状態が通信中か待ち受け中かを判断する（ステップ１１）。
なお、図４では、説明の都合上オンフックキー１４６の押下判断（ステップ１０）の後に通信中か否かの判断（ステップ１１）を行う場合について説明したが、判断の順番は逆であってもよく、また、並列処理により同時に行うようにしてもよい。
【００２８】
現在の状態が待ち受け中である場合（ステップ１１；Ｎ）、制御部２００は、オンフックキー１４６の押下が長押しか短押しかを判断する（ステップ１２）。オンフックキー１４６の短押しである場合（ステップ１２；Ｎ）、すなわち、待ち受け中に短押しされた場合、制御部２００は、バックライトの消去等の各携帯端末装置１００に設定されている短押し処理を実行し（ステップ１３）、処理を終了（メインルーチンにリターン）する。
一方、オンフックキー１４６の長押しである場合（ステップ１２；Ｙ）、すなわち、待ち受け中の長押しの場合、制御部２００は、携帯端末装置１００の電源ｏｆｆ処理を行い（ステップ１４）、終了する。
【００２９】
ステップ１１において、現在の状態が通信中であると判断された場合（ステップ１１；Ｙ）、制御部２００は、オンフックキー１４６の押下が長押しか、短押しかを判断する（ステップ１５）。
なお、携帯端末装置１００は、通信中（着信中、通話中）である場合、図１（ｂ）に示すように、その表示部１２０には、着信中であることの表示（通話中は「通話中」と表示）と、通信相手の電話番号が表示されると共に、オンフックキー１４６の長押しによって着信拒否の登録が可能であることが、「着信拒否→切断キー長押し」等の表示により明示される。
【００３０】
オンフックキー１４６の押下が短押しである場合（ステップ１５；Ｎ）、すなわち、通信中において短押しされた場合、制御部２００は、通信の切断処理を行い（ステップ１６）、終了する。
この通信切断処理（ステップ１６）において制御部２００は、着信中であれば着信音の消音と着信の切断を行い、通話中であれば通話の切断を行う。
【００３１】
一方、オンフックキー１４６の長押しである場合（ステップ１５；Ｙ）、すなわち、通信中において長押しがされた場合、制御部２００は、通信拒否処理と拒否番号登録処理を行い（ステップ１７）、終了（メインルーチンにリターン）する。
この通信拒否処理（ステップ１７）において制御部２００は、着信中であれば着信音の消音と着信の切断を行い、通話中であれば通話の切断を行う。
【００３２】
また、拒否番号登録処理（ステップ１７）において制御部２００は、通信中、通話中共に、通信相手の電話番号を自動的に着信拒否番号記憶部１６１に登録する。
通信相手の電話番号は、通信が携帯端末装置１００への着呼による場合には無線通信制御部２１０が一時保存した発呼者の電話番号を使用し、通信が携帯端末装置１００からの発呼による場合には、発呼の際にテンキー１４１から入力された電話番号又は、発呼の際に通信履歴から選択された電話番号を使用する。
【００３３】
なお、拒否番号登録処理（ステップ１７）において、通信相手の電話番号を着信拒否番号記憶部１６１に登録する場合、図５に示したように、拒否番号登録をするか否かをユーザに確認する登録確認画面を表示するようにしてもよい。
この登録確認画面において、「はい」ボタンが選択されることでユーザの肯定確認が得られた場合に、通信相手の電話番号を着信拒否番号記憶部１６１に登録する。
ユーザが上下左右キー１４３を操作して「いいえ」ボタンを選択した場合には、ユーザの否定確認が得られたものとして、着信拒否の登録を行わずに終了する。
【００３４】
次に第２実施形態について説明する。
第１実施形態では、オンフックキー１４６の長押しが確定した後に、通信拒否処理と拒否番号登録処理（ステップ１７）を行うのに対して、この第２実施形態では、通信中におけるオンフックキー１４６の押下が検出された直後に（押下検出後の最初の処理として）通信拒否処理を行い、長押しが確定した後に拒否番号登録処理を行うものである。
なお、第２実施形態における携帯端末装置１００の構成は第１実施形態と同様である。
【００３５】
図６は、第２実施形態におけるオンフックキー１４６の操作状態に対応する通信拒否処理と拒否番号登録処理の流れについて表したものである。
図６に示されるように、通信中において、ユーザがオンフックキー１４６を時刻ｔ１で押下し、時刻ｔ４でオンフックキーを上げた（押下終了）ものとする。
この場合、制御部２００は、時刻ｔ１にユーザによるオンフックキー１４６の押下を検出し、その検出の直後（時刻ｔ２）、すなわち他の処理をする前に、先ず通信切断処理を開始する。
そして、オンフックキー１４６が時刻ｔ１から継続して押下され続け、所定の時間が経過した時刻ｔ３において長押しが確定すると、制御部２００は、拒否番号登録を開始する。
この第２実施形態によれば、ユーザは通信中において、いち早く通信を終了させることが可能となる。
【００３６】
図７は、第２実施形態によるオンフックキー処理の動作を表したフローチャートである。
なお、第１実施形態におけるオンフックキー処理と同一部分については同一のステップ番号を付して適宜その説明を省略することとする。
制御部２００は、ステップ１１において、現在の状態が通信中であると判断した場合（ステップ１１；Ｙ）、通信切断処理を行う（ステップ２１）。この通信切断処理の内容は第１実施形態と同様に、着信中であれば着信音の消音と着信の切断であり、通話中であれば通話の切断である。
【００３７】
そして、制御部２００は、ステップ２１の通信切断処理と並行して、オンフックキー１４６の長押しが確定したか否かを判断する（ステップ２２）。
長押しが確定した場合（ステップ２２；Ｙ）、制御部２００は、拒否番号登録処理を行い（ステップ２３）、終了する。この拒否番号登録処理の内容は、第１実施形態と同様に、通信中、通話中共に、通信相手の電話番号の着信拒否番号記憶部１６１への登録である。着信拒否の登録に使用する通信相手の電話番号についても、第１実施形態と同様である。
【００３８】
以上、本願発明の各実施形態について説明したが、本願発明では説明した実施形態に限定されるものではなく他の構成とすることも可能である。
例えば、説明した実施形態では、通信中における長押しがされたか否かを判断する所定のキーがオンフックキー１４６である場合について説明したが、所定のキーとしては、他のいずれか１の機能キーを割り当てるようにしてもよい。
更に、所定のキーとしていずれか１のキーを割り当てるのではなく、全てのキー又は一部のキー（機能キーの全て、又はテンキーの全て等）を所定のキーに割り当てるようにしてもよい。
全てのキーを所定のキーとした場合、ユーザは、通信中においていずれか１のキーを長押しすることで着信拒否の登録を行うことができるので、キーを選択する必要がなくなる。
【符号の説明】
【００３９】
１００  携帯端末装置
１１０  無線通信部
１２０  表示部（ディスプレイ）
１３０  通話部
１３１  マイク
１３２  スピーカ
１４０  キー操作部（入力キー）
１４１  テンキー
１４２  機能キー
１４５  オフフックキー
１４６  オンフックキー
１６０  加入者情報記憶部
１６１  着信拒否番号記憶部
２００  制御部
２０１  ＣＰＵ
２０２  ＲＡＭ
２０３  ＲＯＭ
２１０  無線通信制御部
２２０  通信／端末状態判定部
２３０  キー入力判定部
２４０  キー処理決定部
２５０  着信拒否処理部
２６０  着信拒否番号処理部
【図１】
2015103838.tif 000003
【図２】
2015103838.tif 000004
【図３】
2015103838.tif 000005
【図４】
2015103838.tif 000006
【図５】
2015103838.tif 000007
【図６】
2015103838.tif 000008
【図７】
2015103838.tif 000009